(57)【要約】【課題】筐体に対し前扉をがたつきなく閉鎖して隙間が生じないように堅固にロックすることができる遊技機用施錠装置を提供する。【解決手段】筐体３０側の内側に固定された受け部２１，２２内のラック２５，２６に、前扉３１側の内側に固定された装置本体１の歯車部３，４を噛合させて前扉３１を施錠する遊技機用施錠装置である。受け部２１，２２には歯車部３，４を進入させる進入凹部２３，２４が形成されると共に、進入凹部の内面にラック２５，２６が歯車部３，４の進入方向に向けて形成される。歯車部３，４には、係合歯車５，６が回転可能に軸支されると共に、係合歯車５，６にラチェット歯車７，８が噛合して回転可能に軸支される。ラチェット歯車７，８のラチェット爪９，１０を非噛合側に揺動させるための解錠部材１１が摺動可能に配設され、解錠部材１１をシリンダ錠１３の錠軸に固定したカム板１２に連係させた。【選択図】図１
2005110972.tif 000002
【特許請求の範囲】
【請求項１】
筐体側の内側に固定された受け部内のラックに、前扉側の内側に固定された装置本体の歯車部を噛合させて前扉を施錠する遊技機用施錠装置であって、
該受け部には該歯車部を進入させる進入凹部が形成されると共に、該進入凹部の内面に前記ラックが該歯車部の進入方向に向けて形成され、該歯車部には、係合歯車が回転可能に軸支されると共に、該係合歯車にラチェット歯車が噛合して回転可能に軸支され、該ラチェット歯車のラチェット爪を非噛合側に揺動させるための解錠部材が摺動可能に配設され、該解錠部材をシリンダ錠の錠軸に固定したカム板に連係させたことを特徴とする遊技機用施錠装置。
【請求項２】
前記受け部は筐体の上部と下部に取り付けられると共に、前記歯車部は装置本体の基枠の上部と下部に取り付けられ、該歯車部の係合歯車は前記ラチェット歯車より大径に形成され、該装置本体の基枠に前記シリンダ錠が固定され、該基枠内に前記カム板が該錠軸に固定されて配設され、該カム板が係合する解錠部材を施錠方向に付勢するばね部材が設けられたことを特徴とする請求項１記載の遊技機用施錠装置。
【請求項３】
筐体側の内側に固定された受け部内のラックに、前扉側の内側に固定された装置本体の歯車部を噛合させて前扉を施錠する遊技機用施錠装置であって、
該受け部には該歯車部を進入させる進入凹部が形成されると共に、該進入凹部の内面に前記ラックが該歯車部の進入方向に向けて形成され、該歯車部には、係合歯車が回転可能に軸支されると共に、該係合歯車の軸と同軸上にラチェット歯車が軸支され、該ラチェット歯車のラチェット爪を非噛合側に揺動させるための解錠部材が摺動可能に配設され、該解錠部材をシリンダ錠の錠軸に固定したカム板に連係させたことを特徴とする遊技機用施錠装置。
【請求項４】
前記受け部は筐体の上部と下部に取り付けられると共に、前記歯車部は装置本体の基枠の上部と下部に取り付けられ、該歯車部の係合歯車は前記ラチェット歯車より小径に形成され、該装置本体の基枠に前記シリンダ錠が固定され、該基枠内に前記カム板が該錠軸に固定されて配設され、該カム板が係合する解錠部材を施錠方向に付勢するばね部材が設けられたことを特徴とする請求項３記載の遊技機用施錠装置。                                                                       
【発明の詳細な説明】
【技術分野】
【０００１】
本発明は、パチンコ機、スロットマシンなどの遊技機の前面枠（前扉）を本体枠（筐体）に対し施錠する施錠装置に関し、特に前面枠を本体枠に対しがたつきなく閉鎖し施錠することができる遊技機用施錠装置に関する。
【背景技術】
【０００２】
遊技機の前面枠（前扉）を本体枠に対し施錠する施錠装置として、略断面Ｌ字状の取付板と支持板からなる基枠の内側に、摺動杆が摺動可能に配設され、支持板の上部と下部に鉤部が摺動杆に連結されて傾動可能に枢支され、取付板の中間部にシリンダ錠がその錠軸を取付板に設けた孔から内側に差込むように固定され、錠軸の先端に摺動杆と係合するカム部材が固定されてなる施錠装置が、一般に使用されている（例えば下記特許文献１などを参照）。
【特許文献１】実公昭５８−４１９９８号公報
【発明の開示】
【発明が解決しようとする課題】
【０００３】
この種の施錠装置は、遊技機の前面枠の自由端の内側に、その鉤部を本体枠側に向けて縦に固定され、本体枠の内側には、上下の鉤部に対向する位置に、受け部が固定される。そして、前面枠を閉じたとき、その鉤部が受け部に当って傾動しまたは平行移動した後、ばねの付勢力により元の係止姿勢に戻ることにより、鉤部が受け部に係止され施錠される。
【０００４】
しかしながら、このような構造の施錠装置では、鉤部が受け部に対し係止動作を行う際、鉤部の傾動または平行移動を良好にするために、通常、鉤部と受け部の間に僅かな隙間を生じるようにし、或いはばねの付勢力に抗して鉤部が動き得る状態にしている。このため、施錠された遊技機の前面枠を持って開放方向に引いた場合、僅かではあるが前面枠にがたつきが生じ、それによって、前面枠と本体枠の間に隙間が生じる場合があった。このような隙間が前面枠と本体枠の間に生じた場合、その隙間から針金などを差し込んで不正解錠が行なわれる問題があった。
【０００５】
本発明は、上記の課題を解決するためになされたもので、筐体に対し前扉をがたつきなく閉鎖して隙間が生じないように堅固にロックすることができる遊技機用施錠装置を提供することを目的とする。
【課題を解決するための手段】
【０００６】
上記の目的を達成するために、本発明の請求項１の施錠装置は、筐体側の内側に固定された受け部内のラックに、前扉側の内側に固定された装置本体の歯車部を噛合させて前扉を施錠する遊技機用施錠装置であって、受け部には歯車部を進入させる進入凹部が形成されると共に、進入凹部の内面にラックが歯車部の進入方向に向けて形成され、歯車部には、係合歯車が回転可能に軸支されると共に、係合歯車にラチェット歯車が噛合して回転可能に軸支され、ラチェット歯車のラチェット爪を非噛合側に揺動させるための解錠部材が摺動可能に配設され、解錠部材をシリンダ錠の錠軸に固定したカム板に連係させたことを特徴とする。
【０００７】
ここで、上記施錠装置においては、請求項２のように、受け部は筐体の上部と下部に取り付けられると共に、歯車部は装置本体の基枠の上部と下部に取り付けられ、歯車部の係合歯車はラチェット歯車より大径に形成され、装置本体の基枠にシリンダ錠が固定され、基枠内にカム板が錠軸に固定されて配設され、カム板が係合する解錠部材を施錠方向に付勢するばね部材が設けられた構成とすることができる。
【０００８】
さらに、請求項３の施錠装置は、筐体側の内側に固定された受け部内のラックに、前扉側の内側に固定された装置本体の歯車部を噛合させて前扉を施錠する遊技機用施錠装置であって、受け部には歯車部を進入させる進入凹部が形成されると共に、進入凹部の内面にラックが歯車部の進入方向に向けて形成され、歯車部には、係合歯車が回転可能に軸支されると共に、係合歯車の軸と同軸上にラチェット歯車が軸支され、ラチェット歯車のラチェット爪を非噛合側に揺動させるための解錠部材が摺動可能に配設され、解錠部材をシリンダ錠の錠軸に固定したカム板に連係させたことを特徴とする。
【０００９】
ここで、上記請求項３の施錠装置においては、請求項４のように、受け部は筐体の上部と下部に取り付けられると共に、歯車部は装置本体の基枠の上部と下部に取り付けられ、歯車部の係合歯車はラチェット歯車より小径に形成され、装置本体の基枠にシリンダ錠が固定され、基枠内にカム板が錠軸に固定されて配設され、カム板が係合する解錠部材を施錠方向に付勢するばね部材が設けられた構成とすることができる。
【発明の効果】
【００１０】
この遊技機用施錠装置は、遊技機の前扉を筐体に対し閉じると、前扉側の歯車部の係合歯車が筐体側の受け部の進入凹部内に進入する。このとき、装置本体側の係合歯車が、進入凹部内のラックに噛合して内部に進入する。ラックには多数の鋸歯が進入方向に向かって配置され、係合歯車にはラチェット歯車が噛合し或いは同軸上に配設されるため、係合歯車は後戻りすることができない。このため、前扉を筐体に対して閉じるに応じて、歯車部が受け部の奥まで進入し、その進入位置を保持するように係合歯車がラックに噛合すると共に、ラチェット歯車が係合歯車の開放側への回動をロックし、前扉は施錠状態となり、前扉をがたつきなく施錠することができる。
【００１１】
さらに、歯車部の係合歯車をラチェット歯車より大径に或いは小径に形成してその歯数を変え、ギヤ比を１以外に変えることにより、前扉を筐体側に閉じる閉鎖力に応じて、係合歯車が噛合するラックのピッチより小さいピッチで、歯車部を受け部に対しロックすることができる。
【００１２】
つまり、ラチェット歯車が係合歯車の歯数より細かい角度でロックすることができるため、係合歯車のピッチつまりラックの歯のピッチより細かいピッチで係合歯車のロックが可能となり、歯車部を有する装置本体の僅かな移動に応じて、ラックに噛合する係合歯車をロックすることができる。
【００１３】
したがって、前扉を筐体側に押して閉じたとき、閉じる動作に応じてラックのピッチより細かいピッチでラチェット歯車と係合歯車がロックされるため、前扉は筐体に対しがたつきなく、堅固に施錠することができる。またこれによって、係合歯車とラックの歯は、ある程度大きく強固に製作することができ、強度の高い施錠装置とすることができる。
【００１４】
一方、前扉を解錠する場合は、キーによってシリンダ錠を回し、カム部材を所定方向に回転させると、カム部材の回動によって、それに連係された解錠部材が摺動してラチェット歯車のラチェット爪を外す方向に回動させる。これにより、ラチェット歯車の爪が外れて回動自在の状態となり、係合歯車が回動可能な状態となって前扉が解錠され、歯車部が回動しながら後退して受け部の進入凹部内から退出し、前扉は開放される。
【発明を実施するための最良の形態】
【００１５】
以下、本発明の実施例を図面に基づいて説明する。図１は前扉に取り付けられる装置本体１の右側面図を示し、図２はその背面図を示している。この施錠装置は、概略的には、筐体側の内側に固定された受け部２１，２２に、前扉側の内側に固定された装置本体１の歯車部３，４を進入させながらロックして前扉を施錠するように構成される。
【００１６】
装置本体１は、縦長の基枠２を有し、基枠２は、長尺の取付板２ａと支持板２ｂを直角に曲折してＬ型アングル状に形成される。その支持板２ｂの上部と下部に突出部が背面側に突出して形成され、その部分に歯車部３，４の係合歯車５，６が、水平軸により回転可能につまり垂直状態で回転可能に軸支されている。
【００１７】
さらに、上部と下部の歯車部３，４には、各々、ラチェット歯車７，８が、上記各係合歯車５，６に噛合して、支持板２ｂの内側に水平軸により回転可能に軸支される。ラチェット歯車７，８は係合歯車５，６より小径に、係合歯車５，６はラチェット歯車７，８より大径に形成されている。つまり、係合歯車５，６とラチェット歯車７，８のギヤ比を例えば２：１に形成することにより、係合歯車５，６が噛合する後述のラック２５，２６の１ピッチの１／２のピッチで施錠ロックがかかるようにしている。
【００１８】
さらに、上部と下部のラチェット歯車７，８には、各々その上方に、ラチェット爪９，１０が軸９ａ，軸１０ａにより揺動可能に軸支され、上部と下部のラチェット爪９，１０は各ラチェット歯車７，８に係合している。これにより、各ラチェット歯車７，８は、通常時、図１の時計方向には、ラチェット爪９，１０の係止作用により回転を阻止され、反時計方向にのみ回転可能である。したがって、各ラチェット歯車７，８に噛合する上部と下部の係合歯車５，６は、通常時、図１の時計方向にのみ回転可能である。
【００１９】
さらに、基枠２の支持板２ｂの外側に、支持板２ｂの長手方向にそって長尺の解錠部材１１が摺動可能に配設され、その解錠部材１１の上端と下端には、連結ピン９ｂ、１０ｂが軸支されている。その連結ピン９ｂ、１０ｂは、支持板２ｂに形成された長孔を通して外側から内側に挿通され、支持板２ｂの内側において、上部と下部の各ラチェット爪９，１０の端部に連結されている。
【００２０】
解錠部材１１の上端と下端は、連結ピン９ｂ、１０ｂを介して、上部と下部のラチェット爪９，１０の末端に連結され、解錠部材１１を上下に摺動させたとき、ラチェット爪９，１０がその軸９ａ，１０ａを軸にして揺動する。支持板２ｂの一部にガイドピン１５が取り付けられ、解錠部材１１に、そのガイドピン１５が係合するガイド孔（長孔）が形成され、そのガイドピン１５とガイド孔の係合により、解錠部材１１は支持板２ｂに沿って所定の範囲で上下に摺動可能に支持される。
【００２１】
解解錠部材１１と支持板２ｂとの間にばね部材（コイルばね）１４が掛けられ、解錠部材１１はばね部材１４により上方に付勢されている。したがって、通常時には、上部と下部のラチェット爪９，１０はその先端の爪部をラチェット歯車７，８に係合させる状態にあり、解錠部材１１を下方に移動させると、ラチェット爪９，１０がその軸９ａ，１０ａを軸に上方に回動し、ラチェット歯車７，８との係合を外すように動作する。解錠部材１１の中間部には、後述のカム板１２と係合可能な係合部１１ａが形成され、支持板２ｂの対応箇所には、開口部２ｃが形成されている。
【００２２】
さらに、基枠２の取付板２ａの略中間部には、シリンダ錠１３がその錠軸１３ａを基枠２の内側に挿入するように取り付けられる。取付板２ａの対応位置には、シリンダ錠１３の外筒を挿入可能な円形孔が穿設され、シリンダ錠１３の元部にはフランジ１３ｂが設けられ、そのシリンダ錠１３を基枠２の内側から円形孔に挿通させ、フランジ１３ｂを取付板２ａの側に固定ねじなどで固定して、シリンダ錠１３は基枠２に取り付けられる。シリンダ錠１３の元部に突出した錠軸１３ａには、係合部１２ａを設けたカム板１２が固定され、その係合部１２ａは錠軸１３ａの回動時、上記解錠部材１１の係合部１１ａに係合可能である。
【００２３】
一方、筐体３０側に固定される受け部２１，２２は、図３に示すように、装置本体１の係合歯車５，６を進入させる進入凹部２３，２４が各々形成され、進入凹部２３，２４の内面底部にラック２５，２６が各々設けられる。受け部２１，２２は断面が略コ字状に形成され、上部に上板部２７，２８が形成され、内部に矩形断面形状の進入凹部２３，２４が形成され、ラック２５，２６がその底面に水平に形成されている。このラック２５，２６は各々上記係合歯車５、６と同じピッチの鋸歯を有し、その歯車と噛合可能である。進入凹部２３，２４は一方の端部に進入口を形成し、他方の端部も開口して形成される。また、上板部２７，２８の前部は、係合歯車５，６が進入しやすいように、少し上向きに曲げられている。
【００２４】
このように構成された施錠装置は、図４に示すように、その装置本体１が、遊技機における例えば合成樹脂製の前扉３１の内側に、シリンダ錠１３の先端を前面に露出させ、装置本体１を遊技機の筐体３０側に突出した状態に、縦方向に取り付けられる。その取り付けは、取付板２ａに設けた固定孔に固定ねじなどを通し、前扉３１の中間部にねじ込むなどして行われる。
【００２５】
一方、筐体３０の内側の装置本体１に対応した上下位置（側壁の一部）には、図４に示すように、受け部２１、２２がその進入凹部２３，２４の進入口を前方に向けて、固定ねじなどで固定される。
【００２６】
このような遊技機用施錠装置は、遊技機における前扉３１を筐体３０に対し閉じると、図５に示すように、装置本体１の上部と下部の歯車部３，４の係合歯車５，６が、筐体３０側の上部と下部の受け部２１，２２の進入凹部２３，２４内に進入する。
【００２７】
このとき、装置本体１の歯車部３，４の係合歯車５，６は、受け部２３，２４の内側のラック２５，２６に噛合して回転しながら進入していく。このとき、歯車部３，４では、ラチェット歯車７，８が係合歯車５，６に噛合しているため、ラチェット歯車７，８が従動回転し、ラチェット歯車７，８は従動可能な回転方向（図５の反時計方向）のみに回転し、ラチェット爪９ａ，１０ａに作用により逆方向には回転しない。このため、係合歯車５，６はラック２５，２６上を前進方向（図５の右方向）のみに回転しながら進み、前扉３１が筐体３０に密に閉鎖されたとき、その閉鎖状態がロックされる。
【００２８】
また、係合歯車５，６がラック２５，２６上を噛合して前進するとき、後退方向への動きはラチェット歯車７，８により阻止されるが、係合歯車５，６とラチェット歯車７，８のギヤ比は、例えば２：１のように、係合歯車５，６の歯数がより多く設定されている。このため、係合歯車５，６がラック２５，２６上を噛合して進むとき、ラチェット歯車７，８の回転は、この場合、係合歯車５，６の例えば２倍となるから、係合歯車５，６がラック２５，２６上を移動するピッチは、ラック２５，２６の歯のピッチの１／２となって、より細かくなる。
【００２９】
したがって、例えばラック２５，２６のピッチが１ｍｍと比較的大きいピッチであっても、係合歯車５，６に移動ピッチは０．５ｍｍという細かいピッチでロックすることができる。このため、ラック２５，２６、及び係合歯車５，６の歯は、比較的大きくして形成して強度を上げながら、閉鎖ピッチは細かくすることができる。
【００３０】
このように、係合歯車５，６がラック２５，２６上を噛合して前進しながら、前扉３１が筐体３０に対し閉じられるが、装置本体１の係合歯車５，６が、ラック２５，２６の鋸歯の例えば半ピッチという細かい押し込み量で、装置本体１が受け部２１，２２に対し徐々にロックされていくため、最終的に前扉３１を閉じた状態では、扉と筐体の間に殆ど隙間が生じず、前扉３１はがたつきのない状態で筐体３０に対し堅固にロックされる。
【００３１】
前扉３１を解錠する場合は、図６に示すように、キー１７をシリンダ錠１３に差し込みその錠軸１３ａを回し、カム板１２を図２の時計方向に回転させると、カム板１２の回転により、カム板１２の係合部１２ａが同方向に回動して、支持板２ｂの開口部２ｃを通して、解錠部材１１の係合部１１ａに係合し、それを下方に摺動させる。このとき、解錠部材１１が下降すると、その上端と下端に連結されたラチェット爪９，１０が図６の時計方向に回動し、ラチェット爪９，１０とラチェット歯車７，８の係合が外れる。
【００３２】
これにより、ラチェット歯車７，８がフリーな状態となり、上下の歯車部３，４の係合歯車５，６のロックが解除され、図示しない開方向への付勢手段あるいは開操作により、係合歯車５，６が受け部２１，２２のラック２５，２６上を回転しながら、進入凹部２３，２４内から退出し、前扉３１は開放される。
【００３３】
このように、本施錠装置では、前扉３１を筐体３０に対し閉じるに応じて、上下の歯車部３，４の係合歯車５，６が受け部２１，２２内に進入し、その内側のラック２５，２６に噛合しながら奥に進入していく。このために、筐体３０に対し前扉３１を閉じて押し込んだとき、その押し込み量に応じて、装置本体１が受け部２１，２２側に進入しロックされる状態となり、最終的に前扉３１を閉じた状態では、筐体３０と前扉３１との間に殆ど隙間が生じない状態となり、前扉３１を筐体３０に対しがたつきのない状態で堅固にロックすることができる。
【００３４】
また、受け部２１，２２内に設けたラック２５，２６の鋸歯はそのピッチが大きい場合でも、ラチェット歯車７，８と係合歯車５，６のギヤ比を例えば１：２のように小さくすることにより、係合歯車５，６を例えば半ピッチで進めることができ、細かい押し込み量でロックすることが可能となり、筐体３０に対し前扉３１を一層隙間なく且つがたつきなく施錠することができる。
【００３５】
図７〜図１０は他の実施形態を示している。この例では、上部と下部の歯車部４３，４４のラチェット歯車４７，４８が、係合歯車４５，４６と同軸上に装着され、係合歯車４５，４６はラチェット歯車４７，４８より小径に形成される。
【００３６】
すなわち、装置本体４１は、上記と同様に、縦長の基枠４２を有し、基枠４２は、長尺の取付板４２ａと支持板４２ｂを直角に曲折してＬ型アングル状に形成され、その支持板４２ｂの上部と下部に突出部が背面側に突出して形成され、その部分に歯車部４３，４４の係合歯車４５，４６とラチェット歯車４７，４８が同軸上に同時に回転可能に軸支されている。
【００３７】
また、各係合歯車４５，４６はラチェット歯車４７，４８より小径に形成されている。つまり、係合歯車４５，４６とラチェット歯車４７，４８のギヤ比を例えば１：２に形成することにより、係合歯車４５，４６が噛合する後述のラック６５，６６の１ピッチの１／２のピッチで施錠時のロックがかかるようにしている。
【００３８】
さらに、上部と下部のラチェット歯車４７，４８には、各々その上方に、ラチェット爪４９，５０が軸４９ａ，軸５０ａにより揺動可能に軸支され、上部と下部のラチェット爪４９，５０は各ラチェット歯車４７，４８に係合している。これにより、各ラチェット歯車４７，４８は、通常時、図７の反時計方向にラチェット爪９，１０の係止作用により回転を阻止され、時計方向にのみ回転可能である。したがって、各ラチェット歯車４７，４８と同軸の係合歯車４５，４６は、通常時、図７の時計方向にのみ回転可能である。
【００３９】
さらに、図８のように、基枠４２の支持板４２ｂの外側に、支持板４２ｂの長手方向にそって長尺の解錠部材５１が摺動可能に配設され、その解錠部材５１の上端と下端には、連結ピン４９ｂ、５０ｂが軸支されている。その連結ピン４９ｂ、５０ｂは、支持板４２ｂに形成された長孔を通して外側から内側に挿通され、支持板４２ｂの内側において、上部と下部の各ラチェット爪４９，５０の端部に連結されている。
【００４０】
つまり、解錠部材５１の上端と下端は、連結ピン４９ｂ、５０ｂを介して、上部と下部のラチェット爪４９，５０の末端に連結され、解錠部材５１を上下に摺動させたとき、ラチェット爪４９，５０がその軸４９ａ，５０ａを軸にして揺動する。支持板４２ｂの一部にガイドピン５５が取り付けられ、解錠部材５１に、そのガイドピン５５が係合するガイド孔（長孔）が形成され、そのガイドピン５５とガイド孔の係合により、解錠部材５１は支持板４２ｂに沿って所定の範囲で上下に摺動可能に支持される。
【００４１】
解解錠部材５１と支持板４２ｂとの間にばね部材（コイルばね）５４が掛けられ、解錠部材５１はばね部材５４により上方に付勢されている。したがって、通常時には、上部と下部のラチェット爪４９，５０はその先端の爪部をラチェット歯車４７，４８に係合させる状態にあり、解錠部材５１を下方に移動させると、ラチェット爪４９，５０がその軸４９ａ，５０ａを軸に上方に回動し、ラチェット歯車４７，４８との係合を外すように動作する。解錠部材５１の中間部には、後述のカム板５２と係合可能な係合部５１ａが形成され、支持板４２ｂの対応箇所には、開口部４２ｃが形成されている。
【００４２】
さらに、基枠４２の取付板４２ａの略中間部には、シリンダ錠５３がその錠軸５３ａを基枠４２の内側に挿入するように取り付けられる。シリンダ錠５３の元部に突出した錠軸５３ａには、係合部５２ａを設けたカム板５２が固定され、その係合部５２ａは錠軸５３ａの回動時、上記解錠部材５１の係合部５１ａに係合可能である。
【００４３】
一方、筐体３０側に固定される受け部６１，６２は、図９に示すように、装置本体４１の係合歯車４５，４６を進入させる進入凹部６３，６４が各々形成され、進入凹部６３，６４の内面底部にラック６５，６６が各々設けられる。受け部６１，６２は断面が略コ字状に形成され、上部に上板部６７，６８が形成され、内部に矩形断面形状の進入凹部６３，６４が形成され、ラック６５，６６がその底面に水平に形成されている。このラック６５，６６は各々上記係合歯車４５、４６と同じピッチの鋸歯を有し、その歯車と噛合可能である。進入凹部６３，６４は一方の端部に進入口を形成し、他方の端部も開口して形成される。また、上板部６７，６８の前部は、係合歯車４５，４６が進入しやすいように、少し上向きに曲げられている。
【００４４】
上記構成の施錠装置は、図１０に示すように、上記と同様にその装置本体４１が、遊技機における例えば合成樹脂製の前扉３１の内側に、シリンダ錠５３の先端を前面に露出させ、装置本体４１を遊技機の筐体３０側に突出した状態に、縦方向に取り付けられる。一方、筐体３０の内側の装置本体４１に対応した上下位置（側壁の一部）には、受け部６１、６２がその進入凹部６３，６４の進入口を前方に向けて、固定ねじなどで固定される。
【００４５】
この遊技機用施錠装置は、遊技機における前扉３１を筐体３０に対し閉じると、図１０に示すように、装置本体４１の上部と下部の歯車部４３，４４の係合歯車４５，４６が筐体３０側の上部と下部の受け部６１，６２の進入凹部６３，６４内に進入する。
【００４６】
このとき、装置本体４１の歯車部４３，４４の係合歯車４５，４６は、受け部６３，６４の内側のラック６５，６６に噛合して回転しながら進入していく。このとき、各歯車部４３，４４では、各係合歯車４５，４６と同軸上のラチェット歯車４７，４８が図１０の時計方向にのみに回転し、ラチェット爪４９ａ，５０ａに作用により逆方向には回転しない。このため、係合歯車４５，４６はラック６５，６６上を前進方向（図１０の右方向）のみに回転しながら進み、前扉３１が筐体３０に密に閉鎖されたとき、その閉鎖状態がロックされる。
【００４７】
また、係合歯車４５，４６がラック６５，６６上を噛合して前進するとき、後退方向への動きはラチェット歯車４７，４８により阻止されるが、係合歯車４５，４６とラチェット歯車４７，４８のギヤ比は例えば１：２のように、ラチェット歯車４７，４８の歯数がより多く設定されている。このため、係合歯車４５，４６がラック６５，６６上を噛合して進むとき、ラチェット歯車４７，４８の歯の進行度は、この場合、係合歯車４５，４６の２倍と多くなる。したがって、例えばラック６５，６６のピッチが１ｍｍと比較的大きいピッチであっても、係合歯車６５，６６の移動ピッチは０．５ｍｍという細かいピッチでロックすることができる。このため、ラック６５，６６、及び係合歯車４５，４６の歯は、比較的大きくして強度を上げて形成することができる。
【００４８】
このように、係合歯車４５，４６がラック６５，６６上を噛合して前進しながら、前扉３１が筐体３０に対し閉じられるが、装置本体４１の係合歯車４５，４６が、ラック６５，６６の鋸歯の半ピッチという細かい押し込み量で、装置本体４１が受け部６１，６２に対し徐々にロックされていくため、最終的に前扉３１を閉じた状態では、扉と筐体の間に殆ど隙間が生じず、前扉３１はがたつきのない状態で筐体３０に対し堅固にロックされる。
【００４９】
前扉３１を解錠する場合は、キーをシリンダ錠５３に差し込みその錠軸５３ａを回し、カム板５２を回転させると、カム板５２の回転により、カム板５２の係合部５２ａが同方向に回動して、支持板４２ｂの開口部４２ｃを通して、解錠部材５１の係合部５１ａに係合し、それを下方に摺動させる。このとき、解錠部材５１が下降すると、その上端と下端に連結されたラチェット爪４９，５０が図１０の反時計方向に回動し、ラチェット爪４９，５０とラチェット歯車４７，４８の係合が外れる。
【００５０】
これにより、ラチェット歯車４７，４８がフリーな状態となり、上下の歯車部４３，４４の係合歯車４５，４６のロックが解除され、図示しない開方向への付勢手段あるいは開操作により、係合歯車４５，４６が受け部６１，６２のラック６５，６６上を回転しながら、進入凹部６３，６４内から退出し、前扉３１は開放される。
【００５１】
以上説明したように、本発明の遊技機用施錠装置によれば、前扉を筐体に対し閉じると、装置本体の歯車部が受け部内の進入凹部に進入して、受け部内のラックに噛合しながら進み、装置本体を取り付けた前扉が、受け部を設けた筐体に対しロックされる。このとき、装置本体の歯車部の係合歯車は、受け部内に進入してラチェット歯車の作用により後退不可能にロックされ、前扉を筐体に対して閉じる動作に応じて、係合歯車が受け部のラックに噛合して進みロックされるから、前扉を筐体に対し押し付けるように閉鎖して施錠した場合、前扉と筐体の間に殆ど隙間が生じず、前扉をがたつきのない状態で、堅固に施錠することができる。
【００５２】
また、係合歯車とそれに噛合するラチェット歯車のギヤ比を１より大きく設定することにより、係合歯車がラック上を進む際、ラックの１ピッチより小さいピッチで係合歯車をロックすることが可能となり、前扉の筐体に対する細かい押し込み量で前扉をロックすることが可能となり、筐体に対し前扉を一層隙間なく且つがたつきなく施錠することができる。
【図面の簡単な説明】
【００５３】
【図１】本発明の一実施形態を示す施錠装置の装置本体１の右側面図である。
【図２】装置本体１の背面図である。
【図３】受け部２１，２２の正面図（ａ）と左側面図（ｂ）である。
【図４】施錠装置の使用態様を示す右側面図である。
【図５】前扉を閉じる際の右側面図である。
【図６】前扉を解錠する際の右側面図である。
【図７】他の実施形態の装置本体１の右側面図である。
【図８】他の実施形態の装置本体１の背面図である。
【図９】受け部６１，６２の正面図（ａ）と左側面図（ｂ）である。
【図１０】他の実施形態の使用態様を示す右側面図である。
【符号の説明】
【００５４】
１−装置本体
２−基枠
２ａ−取付板
２ｂ−支持板
３，４−歯車部
５，６−係合歯車
７，８−ラチェット歯車
９，１０−ラチェット爪
１１−解錠部材
１２−カム板
１３−シリンダ錠
２１，２２−受け部
２３，２４−進入凹部
２５，２６−ラック
【図１】
2005110972.tif 000003
【図２】
2005110972.tif 000004
【図３】
2005110972.tif 000005
【図４】
2005110972.tif 000006
【図５】
2005110972.tif 000007
【図６】
2005110972.tif 000008
【図７】
2005110972.tif 000009
【図８】
2005110972.tif 000010
【図９】
2005110972.tif 000011
【図１０】
2005110972.tif 000012